(57)【要約】【目的】出力電圧を所定値に切り換える設定操作を容易に行うことができる操作性と、変圧器本体のメンテナンスや交換における作業性とに優れると共に、動作信頼性に優れたタップ切換器を備えた変圧器を提供する。【解決手段】変圧器本体１１，１１ａが内蔵される略箱状や円筒容器状に形成されたケーシング１２と、ケーシング１２上部の開口部に覆設されるカバー部１３と、カバー部裏面側に吊下部材１５を介して吊り下げられ変圧器本体１１が配置されるトランス支持部１６と、トランス支持部１６上に配置され変圧器本体１１の巻線タップとカバー部１３上に突設された入出力端子Ａ〜Ｇとの結線状態を切り換えて出力電圧を設定するタップ切換器２０と、を備えて変圧器１０とする。【選択図】  図２
2005005401.tif 000002
【特許請求の範囲】
【請求項１】
変圧器本体が内蔵される略箱状や円筒容器状に形成されたケーシングと、前記ケーシング上部の開口部に覆設されるカバー部と、前記カバー部裏面側に吊下部材を介して吊り下げられ前記変圧器本体が配置されるトランス支持部と、前記トランス支持部上に配置され前記変圧器本体の巻線タップと前記カバー部上に突設された入出力端子との結線状態を切り換えて出力電圧を設定するタップ切換器と、を備えたことを特徴とする変圧器。
【請求項２】
前記タップ切換器上部の前記カバー部に、ボルトナットやヒンジなどを介して着脱自在に取り付けられる蓋部を有した切換器操作用開口部が設けられていることを特徴とする請求項１記載の変圧器。
【請求項３】
前記タップ切換器が、前記トランス支持部に取り付けられる基板と、前記基板に回動自在に立設されたタップ切換軸部と、前記タップ切換軸部を中心とする前記基板の円周上に複数等間隔で立設され前記巻線タップが接続される略円柱状や円筒状の固定端子部と、前記タップ切換軸部にその基端部側が固定連結されるローラ端子支持部と、前記ローラ端子支持部の先端側に電気絶縁されて配置され隣接する前記固定端子部の軸間に付勢部材を介して当接嵌合して前記固定端子部間を導通させるローラ端子部と、を備えていることを特徴とする請求項１又は２に記載の変圧器。
【発明の詳細な説明】
【０００１】
【発明の属する技術分野】
本発明は出力電圧の設定操作性やメンテナンス性に優れた内部支持構造を有する変圧器に関する。
【０００２】
【従来の技術】
変圧器は、その結線方法や冷却方法、巻数タイプ、相数などで各種のものに分類される。例えば、配電用変圧器や整流器用変圧器、インバータ用変圧器用などとしてＶ結線方式などを適用した３相―単相変換トランスがある。
また、変圧器には出力電圧を所定電圧に設定するために、そのトランスの巻線タップの組み合わせを切り換えるタップ切換器を備えたものもあり、このタップ切換器としては一般に可動接点が所定の角度に回動して集電接触子と選択された固定接点とを電気的に接続することにより、変圧器本体に設けた巻線タップに切り換えるようにしたものが用いられている。
【０００３】
このような変圧器に適用される内部支持構造やそのタップ切換器に関して、例えば以下のような技術のものが知られている。
（１）特許文献１には、変圧器のカバーまたはタンクに設けた穴を貫通して変圧器中身が支持された連結スタッドを設け、カバーまたはタンクの内面側位置と外面側位置にナットを取り付け、前記ナットを回転することにより、カバーに連結された変圧器中身をタンクに挿入した後でも、カバーの外面側から連結位置の調整が可能となるようにした変圧器の中身固定構造が記載されている。
【０００４】
（２）特許文献２には、巻線および鉄心からなる変圧器中身を、絶縁材を充填したタンクに入れ、前記変圧器中身の上部を前記タンクのカバーに係合させ、かつ、前記変圧器中身の下部を前記タンク下面板に係合させる変圧器のタンク構造が記載されている。
【０００５】
（３）特許文献３には、集電接触子及び固定接点をその上下方向から挟圧する一対の挟圧片と、前記挟圧片を互いに相対する方向に付勢する圧縮ばねとを備えた可動接点により構成したタップ切換器が記載されている。
【０００６】
【特許文献１】
特開平１１−２８３８４２号公報
【特許文献２】
特開２０００−２６０６２７号公報
【特許文献３】
特開２０００−３０６７４７号公報
【０００７】
【発明が解決しようとする課題】
しかしながら、前記従来の技術のものでは以下のような問題点があった。
（イ）特許文献１に記載の変圧器の中身固定構造では、一旦変圧器の中身をタンク内に固定してしまうと、その出力電圧を所定値に切り換える設定操作が困難であるため、電力使用状況の変化に柔軟かつ迅速に対応させることできない上に、位置調整時にはナットをカバーに貫通させて回転させるので、この部分からの漏水などのおそれがありメンテナンス性にも欠けるという課題があった。
（ロ）特許文献２に記載の変圧器のタンク構造では、変圧器本体の下部をタンク底部と係合させるので、変圧器本体のメンテナンスや交換に際して、タンクの底部に手を差し入れてその取り付け作業を行わなければならず、作業性に欠けるという課題があった。
（ハ）特許文献３に記載の変圧器では、このタップ切換器の可動接点が円周上などを動くことによって、可動接点と特定の固定端子とが接触して両者が一対一に電気的に接続されるので、選択された固定端子上に可動接点を確実に位置決めすることが困難で、接触部分が中途半端な位置で固定されたり外れたりして動作信頼性に欠け、また、端子部分の磨耗粉や埃等が接点部に付着堆積して接触抵抗を大きくして発熱トラブルなどが発生しやすいという課題があった。
【０００８】
本発明は上記従来の課題を解決するためになされたもので、その出力電圧を所定値に切り換える設定操作を容易に行うことができる操作性と変圧器本体のメンテナンスや交換における作業性に優れると共に、動作信頼性に優れたタップ切換器を備えた変圧器を提供することを目的とする。
【０００９】
【課題を解決するための手段】
（１）本発明の変圧器は、変圧器本体が内蔵される略箱状や円筒容器状に形成されたケーシングと、前記ケーシング上部の開口部に覆設されるカバー部と、前記カバー部裏面側に吊下部材を介して吊り下げられ前記変圧器本体が配置されるトランス支持部と、前記トランス支持部上に配置され前記変圧器本体の巻線タップと前記カバー部上に突設された入出力端子との結線状態を切り換えて出力電圧を設定するタップ切換器と、を備えて構成される。これによって、変圧器本体の交換や電圧設定作業などの際には、カバー部をケーシングから取り外して上方に引き上げるだけで、カバー部に吊り下げられた変圧器本体部分を露出させてその設定作業などを容易に行うことができる。また、タップ切換器をその内部に備えるので出力電圧を所定値に切り換える設定操作を容易にできる。
【００１０】
変圧器本体としては、例えば、Ｖ結線方式の３相―単相変換トランスなどが好適に用いられる。なお、この他にその結線方法が単相三線式、二相四線式、デルタ結線式、スター結線式、スコット結線式、逆Ｖ結線のものや、巻数が単巻、二巻線、三巻線のもの、相数が単相、三相のものなどを適宜組み合わせたものなどに適用できる。
ケーシングとしては、スチール製やステンレススチール製、アルミ合金製などからなるその上部に開口した円筒状や角筒状、箱状の容器体であって、その内部に絶縁油などを充填して用いられる。
カバー部は、ケーシングの開口部にボルトナットなど介して覆設固定され、その上部に設けられた吊上部材などにウインチやクレーンなどのフックを係止させて上方に引き上げられるようになっている。
トランス支持部は、単数又は複数の変圧器本体を配列して係止され、その全体重量を支持できるように構成され、その上面側に各変圧器本体の巻線タップが接続されたタップ切換器が配置される。
タップ切換器はカバー部などに取り付けられた入出力端子がそれぞれ接続され、前記変圧器本体の巻線タップとの接続状態を予め設定した配線パターンに段階的に切り換えることによって、変圧器に供給される入力電圧を所定電圧にして出力させる装置である。
【００１１】
（２）本発明の変圧器は、前記（１）において、前記タップ切換器上部の前記カバー部に、ボルトナットやヒンジなどを介して着脱自在に取り付けられる蓋部を有した切換器操作用開口部が設けられていることにもを特徴を有している。
この蓋部をカバー部から取り外すことで、開口部から手を差し入れてタップ切換器を直接操作できるので、変圧器本体をケーシングに内蔵させたままの状態で電圧設定を容易に行うことができ、操作性とメンテナンスに優れた変圧器を提供できる。
切換操作用となる開口部は、操作者の手が差し入れられる広さの幅や長さを有してカバー部に矩形状や円形状などに形成され、変圧器稼働時には蓋部をボルトナットなどを介して閉止及び開放されるようにしている。
【００１２】
（３）本発明の変圧器は、前記（１）又は（２）において、前記タップ切換器が、前記トランス支持部に取り付けられる基板と、前記基板に回動自在に立設されたタップ切換軸部と、前記タップ切換軸部を中心とする前記基板の円周上に複数等間隔で立設され前記巻線タップが接続される略円柱状や円筒状の固定端子部と、前記タップ切換軸部にその基端部側が固定連結されるローラ端子支持部と、前記ローラ端子支持部の先端側に電気絶縁されて配置され隣接する前記固定端子部の軸間に付勢部材を介して当接嵌合して前記固定端子部間を導通させるローラ端子部と、を備えて構成されている。
これによって、タップ切換軸部を所定角度に回動させることにより、ローラ端子支持部を介して支持されたローラ端子部のローラが自転しながら回動して、円周上に配置された固定端子部の次の軸間に嵌合することで、確実に位置決めされた状態で間欠的に移動させることができる。こうして各固定端子部間が導電性のローラを介して最短距離で電気的に接続され、接続動作を確実に行うことができると共に、端子の磨耗粉や埃などが堆積しにくく、しかも、簡単な構造にして動作不良や配線トラブルなどを招くことがなくメンテナンス性や動作信頼性に優れたタップ切換器を提供できる。
【００１３】
固定端子部は、その少なくともローラ端子部との接触面が銅又はりん青銅、ステンレススチール、スチールなどの導電性金属や導電性セラミックスなどで形成され円柱状や円筒状などのその断面形状が円形である棒状体であって、基板上の同一円周上に立設されて複数個が等間隔で配列される。
ローラ端子部は、銅などの導電性材料からなるローラと、そのローラの軸を回転自在に支持するローラ軸受部とからなり、そのローラ径が隣接配置される前記固定端子部間の間隔より大きく形成されている。ローラ端子部はローラ支持部にバネやゴムなど弾性を有した付勢部材を介してその軸方向に伸延して付勢されると共に、ローラが電気的に絶縁された状態で支持されるようにしている。
タップ切換軸部はその一端側が基板から貫通して回動自在に軸支され、基板から貫通した一端部にローラ端子支持部の基端部が固定される。
【００１４】
なお、タップ切換器は、前記タップ切換軸部の先端に固定されたタップ切換ハンドルと、タップ切換表示盤を備えたその上部が前記タップ切換軸部に貫通して前記絶縁油の液面上に支持され、その下部が前記基板に固定支持される表示盤支持部と、を備えるようにすることもできる。これによって、電圧設定作業やその確認作業を容易に行うことができる。
ここで、タップ切換軸部は前記ローラ端子支持部が取り付けられる基板面の裏側から所定高さに突出して配置される。こうして、その先端に取り付けられるタップ切換軸部を回動させるためのタップ切換ハンドルが変圧器に入れられる絶縁油の液面上に配置されるようにしている。
タップ切換表示盤及び表示盤支持部は、可撓性のプラスチック板や金属薄板などからなり、変圧器に入れられた絶縁油の液面より上方にタップ切換表示盤が水平又は所定角度に傾斜して配置され、これによって、タップ切換ハンドルの設定位置が確実に明示され、設定電圧の切換操作が容易にできるようにしている。
【００１５】
【発明の実施の形態】
以下本発明の実施の形態を図面を参照しながら説明する。
図１は本発明の一実施の形態に係る変圧器の斜視図であり、図２はその変圧器本体をケーシング内から引き上げた状態の斜視図であり、図３はその正面断面図である。
図１〜図３において、１０は本発明の一実施の形態に係る変圧器、１１，１１ａは鉄心にコイルが巻かれて形成され巻線タップが引き出される左右２組の変圧器本体、１２は変圧器本体１１、１１ａを内蔵させる略箱状や円筒容器状に形成されたケーシング、１３はケーシング１２上部の開口部にボルトナット孔１４などを介して覆設されるカバー部、１５はカバー部１３の裏面側に固定して設けられた棒状又はパイプ状などの吊下部材、１６は吊下部材１５の下端側に取り付けられてカバー部１３から吊り下げられ２組みからなる変圧器本体１１、１１ａの上部に冠設又は下部が載置されるトランス支持部、１７はカバー部１３に設けられた円形状又は矩形状の切換器操作用開口部１７ａにボルトやヒンジなどを介して着脱自在に取り付けられる蓋部、１８はカバー部１３に取り付けられた変圧器１０のカバー部１３を引き上げるためのリング状やフック状などの係止部材、１９はケーシング１２の側面の縦長開口に覆設される透明板を有して内部に充填保持される絶縁油の液面レベルを観察するためのレベル計、２０はトランス支持部１６上に配置された変圧器本体１１、１１ａの図示しない巻線タップとカバー部１３上に突設された入出力端子Ａ〜Ｇとの結線状態を所定配線に切り換えて出力電圧を設定するためのトランス支持部１６上面の左右にそれぞれ併設された２個のタップ切換器である。
【００１６】
変圧器本体１１、１１ａは図示するように２連に構成され、そのそれぞれがトランス支持部１６の上部固定部材１６ａや下部固定部材１６ｂによってその上部及び／又は下部を支持され、トランス支持部１６は複数の吊下部材１５を介してカバー部１３に吊り下げられている。
変圧器本体１１，１１ａの下部固定部材１６ｂはその下部がケーシング１２の底部に設けられた位置決め枠部１２ｃに嵌合されると共に、ゴム板などの弾性部材１２ｄを介してケーシング１２の底部に載置されるようにしている。
このようにしてカバー部１３のフランジ部１３ａとケーシング１２のフランジ部１２ａとを接合するボルトナットなどを取り外した後、カバー部１３の係止部材１８をウインチなどで引き上げて変圧器本体１１、１１ａを取り出すようにしている。なお、ケーシング１２の下部にはドレン抜き孔１２ｂが設けられており、ケーシング１２に貯留保持される絶縁油を容易に交換できるようにしている。
こうして、図２に示すように変圧器本体１１、１１ａをケーシング１２内の絶縁油から取り出して、必要なメンテナンス作業やタップ切換器２０の設定操作などを容易に行うことができる。
なお、トランス支持部１６上に併設された２個のタップ切換器２０は、カバー部１３の略中央に設けた蓋部１７を開いて、この切換器操作用開口部１７ａを介してそれぞれ操作することができる。また、タップ切換器２０の操作板をトランス支持部１６のタップ切換器取付面より所定角度で傾斜させて設けることでその切換設定操作をさらに容易にすることもできる。
【００１７】
ここで吊下部材１５は、パイプ状や棒状のスチール製やステンレススチール製などのものが適用できる。吊下部材１５の上端及び下端にはネジ部などが設けられており、このネジ部を介してカバー部１３及びトランス支持部１６間を連結する。
なお、吊下部材１５は２連構成からなる変圧器本体１１、１１ａのそれぞれに対して対角線状となる位置に２個、合計４個をトランス支持部１６に配置しているが、吊下部材１５をそれぞれの四隅側に配置して合計６個や８個の吊下部材１５で吊り下げるようにしてもよい。
また、吊下部材を例えば内筒と外筒からなる二重管構造にしてスライド可能にしてケーシング１２に内蔵される変圧器本体１１、１１ａの位置調整ができるようにしてもよい。さらに、この二重管構造にそのスライド方向に伸縮できるゴムやスプリングなどの弾性部材を設けて、変圧器稼働中の振動を吸収して、変圧器本体を保護することも可能である。
【００１８】
図４はタップ切換器の正面図であり、図５は裏面側からみた底面図である。
図４において、２１は支持部材２１ａを介して変圧器本体１１、１１ａを支持するトランス支持部１６に対して傾斜して取り付けられた基板、２２は軸受部２２ａを介して基板２１に貫通して回動自在に立設された棒状のタップ切換軸部、２３ａ〜２３ｆは基板２１の円周上に等間隔で立設され変圧器に内蔵されたトランスの巻線タップ端子が接続される略円柱状の固定端子部、２４はタップ切換軸部２２の基部にその基端部側が固定連結されるローラ端子支持部、２５はローラ端子支持部２４の先端側に電気絶縁されて配置され隣接する固定端子部２３ａ〜２３ｆの軸間に付勢部材２４ａを介して嵌合されるローラ端子部、２６はタップ切換軸部２２の先端に取り付けられたタップ切換ハンドル、２７はタップ切換表示盤２７ａを備えてその上部がタップ切換軸部２２に貫通して支持されその下部が折り曲げられて基板２１に固定支持される金属薄板などからなる表示盤支持部である。
【００１９】
また、変圧器１０のカバー部１３にはその表裏に貫通して設けられた入力用端子Ａ〜Ｃと出力用端子Ｄ〜Ｇとを備えており、タップ切換器２０の固定端子部２３ａ〜２３ｆなどに接続されている。
基板２１は略半円状に形成されたプラスチック板などの絶縁体や金属などからなり、その支持部材２１ａが変圧器本体１１、１１ａの上部のトランス支持部１６上に電気的に絶縁された状態でボルトナットなどで固定される。なお、図３などに示すように基板２１の基盤面が水平面に対して所定角度、例えば１５〜４５度の範囲で傾斜させて配置するようにしてもよい。これによって、蓋部１７を開放したり、変圧器本体１１、１１ａを引き上げたりした際のタップ切換ハンドル２６の回転操作を容易にしている。
タップ切換軸部２２は図４に示すように、そのタップ切換ハンドル２６側に基板２１面から突設され、基板２１に軸受部２２ａを介して回動自在に軸支されると共に、基板２１から貫通した下部にローラ端子支持部２４の基端側が固定されている。
ローラ端子部２５を支持するローラ端子支持部２４は、例えば内筒部とその内筒部に嵌合して摺動する外筒部などを備えてその軸方向に伸縮する伸縮機構を有し、バネなどを備えた付勢部材２４ａを介して先端側が弾性的に伸延するように形成されている。また、ローラ端子部２５をゴムなどの絶縁体を介して支持してローラ２５ａが電気的に絶縁されるようにしている。
【００２０】
ローラ端子部２５は導電性のローラ２５ａと同ローラ２５ａを軸支するローラ軸受部２５ｂとを備えている。こうして、タップ切換軸部２２を所定角度ずつ回動させることによって、ローラ軸受部２５ｂで支持された先端側のローラ２５ａが自転しながら基板円周上を移動して、例えば、▲１▼固定端子部２３ａと２３ｂ、▲２▼固定端子部２３ｂと２３ｃ、▲３▼固定端子部２３ｃと２３ｄ、▲４▼固定端子部２３ｄと２３ｅ、▲５▼固定端子部２３ｅと２３ｆのそれぞれの軸間に嵌合するようにしている。
ローラ２５ａは上下一対の銅などの導電性金属からなる円盤をその軸方向に間隔を有して結合され、ローラ軸受部２５ｂを介して回転自在に支持される。
【００２１】
例えば、６個の固定端子部２３ａ〜２３ｆは、それぞれが基板２１に立設される棒状の導電体であって、その基部がタップ切換軸部２２を中心軸とする同一円周上に等間隔で絶縁部材を介して固定配置される。なお、基板２１を絶縁性のプラスチックで形成した場合には、ゴムなどの絶縁部材を介することなくボルト締めなどの締結手段を用いて固定端子部２３ａ〜２３ｆを基板２１に直接固定できる。
なお、固定端子部はその断面を必ずしも円形とする必要はなく、その隣接する軸間にローラ端子部２５のローラ２５ａが嵌合するような形状であれば、その断面を四角形や三角形、楕円形などとしてもよい。また、固定端子部のローラとの接点部分を導電性のセラミックスで形成して、ローラ２５ａに対する耐磨耗性を高めることも可能である。
【００２２】
表示盤支持部２７は、その先側が略円形に形成されたプラスチック板や金属薄板などからなり、その基部側が基板２１の上面などにボルト２７ｂなどを介して固定される。表示盤支持部２７はその先側の円形部にタップ切換軸部２２が貫通されて保持されるタップ切換表示盤２７ａを備えている。こうして、タップ切換表示盤２７ａをタップ切換ハンドル２６の直下に固定して保持させる。
タップ切換表示盤２７ａにはその上部に配置されたタップ切換ハンドル２６の操作位置に対応して、前記固定端子部の各軸間の設定位置▲１▼〜▲５▼などが表示盤面に印刷表示されると共に、ケーシング１２に保持される絶縁油の液面上となる位置になるように配置される。
【００２３】
ここで、図６は変圧器１０に適用される配線図の一例を示している。
変圧器１０は、けい素鋼板などを用いた単相変圧器であって、図示するように、その一次側となる端子Ａ−Ｂ間が６６００Ｖ（３０ＫＶＡ）、二次側となる端子Ｄ−Ｅ間が１０５Ｖ、端子Ｅ−Ｆ間が１０５Ｖ、端子Ｆ−Ｇ間が２１０Ｖとなるように設定され、２連のタップ切換器２０をそれぞれ操作して各端子間で所定電圧を選択、変更できるようにしている。
【００２４】
以上のように構成された変圧器１０における設定電圧の調整方法及び変圧器本体１１、１１ａのメンテナンス方法について説明する。
まず、設定電圧を調整する場合は、カバー部１３上の蓋部１７を開いて、その切換器操作用開口部１７ａから覗くタップ切換器２０を以下のようにして操作する。すなわち、タップ切換ハンドル２６を把持して、タップ切換表示盤２７ａで確認しながらタップ切換軸部２２を所定角度に回動させる。このとき、タップ切換表示盤２７ａより上の部分は変圧器本体１１、１１ａの絶縁油の液面より上に配置されるので、その操作を容易に行うことができる。
こうして、ローラ端子支持部２４で支持されたローラ端子部２５をローラ２５ａを自転させながら回動させる。基板２１の円周上に配置された隣接する固定端子部２３ａ〜２３ｆの各軸間にローラ２５ａを順次移動させることで、付勢部材２４ａにより軸間側に付勢押圧されたローラ２５ａを安定的に位置決めして、各固定端子部２３ａ〜２３ｆの各隣接する軸間を導電性のローラ２５ａを介して電気的に接続させることができる。
このように固定端子部２３ａ〜２３ｆの隣接する軸間を余分なリード配線などを介することなくほぼ最短距離で電気的に接続でき、電気配線の抵抗などに伴う発熱ロスを最小限度に抑制することができる。
タップ切換器２０は簡単な接点構造でありながら間欠的な接続動作を確実に行うことができると共に、端子の磨耗粉や埃などを堆積しにくくしているため、動作不良や配線トラブルなどを招くことがなくメンテナンス性や動作信頼性に優れている。さらに、タップ切換表示盤がタップ切換ハンドルに配置されるので、電圧設定作業やその確認作業を容易かつ確実に行うことができる。
【００２５】
また、変圧器本体１１，１１ａのメンテナンスや交換などを行う場合は、まず、カバー部１３のフランジ部１３ａとケーシング１２のフランジ部１２ａとを接合するボルトナットなどを取り外す。
次に、カバー部１３を引き上げて、カバー部１３に吊下部材１５を介して吊り上げられた変圧器本体１１，１１ａをケーシング１２内の絶縁油から取り出して、配線取り付けなどのメンテナンス作業や、タップ切換器２０の設定操作などを容易に行うことができる。
【００２６】
【発明の効果】
請求項１記載の発明によれば、変圧器本体の交換や電圧設定作業などの際にカバー部をケーシングから取り外して上方に引き上げるだけで、カバー部に吊り下げられた変圧器本体部分を露出させてその設定作業などを容易に行うことができる。また、タップ切換器をその内部に備えるので出力電圧を所定値に切り換える設定操作を容易にできる。
【００２７】
請求項２記載の発明によれば、請求項１記載の効果に加えて、カバー部に蓋部を有した切換器操作用開口部が設けられているので、蓋部をカバー部から取り外すことで、開口部から手を差し入れてタップ切換器を直接操作でき、変圧器本体をケーシングに内蔵させたままの状態で電圧設定を容易に行うことができ、操作性とメンテナンスに優れた変圧器を提供できる。
【００２８】
請求項３記載の発明によれば、請求項１又２記載の効果に加えて、タップ切換軸部を所定角度に回動させることにより、ローラ端子支持部を介して支持されたローラ端子部のローラが自転しながら回動して、円周上に配置された固定端子部の次の軸間に嵌合させることができ、確実に位置決めされた状態で間欠的に移動させることができる。こうして各固定端子部間が導電性のローラを介して最短距離で電気的に接続され、接続動作を確実に行うことができると共に、端子の磨耗粉や埃などが堆積しにくく、しかも、簡単な構造にしてメンテナンス性や動作信頼性に優れたタップ切換器を提供できる。
【図面の簡単な説明】
【図１】本発明の一実施の形態に係る変圧器の斜視図である。
【図２】変圧器本体をケーシング内から引き上げた状態の斜視図である。
【図３】変圧器の正面断面図である。
【図４】タップ切換器の正面図である。
【図５】タップ切換器を裏面側からみた底面図である。
【図６】変圧器の配線図である。
【符号の説明】
１０  変圧器
１１、１１ａ  変圧器本体
１２  ケーシング
１２ａ  フランジ部
１２ｂ  ドレン抜き孔
１２ｃ  位置決め枠部
１２ｄ  弾性部材
１３  カバー部
１３ａ  フランジ部
１４  ボルトナット孔
１５  吊下部材
１６  トランス支持部
１６ａ  上部固定部材
１６ｂ  下部固定部材
１７  蓋部
１７ａ  切換器操作用開口部
１８  係止部材
１９  レベル計
２０  タップ切換器
２１  基板
２１ａ  支持部材
２２  タップ切換軸部
２２ａ  軸受部
２３ａ〜２３ｆ  固定端子部
２４  ローラ端子支持部
２４ａ  付勢部材
２５  ローラ端子部
２５ａ  ローラ
２６  タップ切換ハンドル
２７  表示盤支持部
２７ａ  タップ切換表示盤
２７ｂ  ボルト
Ａ〜Ｇ  入出力端子
【図１】
2005005401.tif 000003
【図２】
2005005401.tif 000004
【図３】
2005005401.tif 000005
【図４】
2005005401.tif 000006
【図５】
2005005401.tif 000007
【図６】
2005005401.tif 000008